(57)【特許請求の範囲】
【請求項１】
外部から到来し、所定データ長単位の伝送ブロック構造の第１のデジタル素材信号及び第２のデジタル素材信号を多重した多重信号を取り扱うデジタル放送信号送出システムに適用され、前記多重信号から前記第２のデジタル素材信号を抽出し、この第２のデジタル素材信号を前記デジタル放送信号送出システムで取り扱うクロック信号に同期させ、前記デジタル放送信号送出システムで取り扱うクロック信号に同期した第１のデジタル素材信号に再多重する同期処理装置であって、
前記多重信号から抽出された前記第２のデジタル素材信号を格納する記憶手段と、
別途に提供される前記第１のデジタル素材信号の結合情報及び前記クロック信号から生成した読み出しタイミングで、前記記憶手段に格納された前記第２のデジタル素材信号を読み出す読出制御手段と、
この読出制御手段により前記記憶手段から読み出された前記第２のデジタル素材信号を、前記クロック信号に同期した周波数レートでリサンプリングするリサンプリング処理手段とを具備し、
前記読出制御手段は、前記第１のデジタル素材信号に欠落が発生したときに、前記クロック信号の前記伝送ブロックに同期した基準クロック数より所定数少ない読み出しタイミングで、前記記憶手段に格納された前記第２のデジタル素材信号を読み出す機能を備えることを特徴とする同期処理装置。
【請求項２】
外部から到来し、所定データ長単位の伝送ブロック構造の第１のデジタル素材信号及び第２のデジタル素材信号を多重した多重信号を取り扱うデジタル放送信号送出システムに適用され、前記多重信号から前記第２のデジタル素材信号を抽出し、この第２のデジタル素材信号を前記デジタル放送信号送出システムで取り扱うクロック信号に同期させ、前記デジタル放送信号送出システムで取り扱うクロック信号に同期した第１のデジタル素材信号に再多重する同期処理装置であって、
前記多重信号から抽出された前記第２のデジタル素材信号を格納する記憶手段と、
別途に提供される前記第１のデジタル素材信号の結合情報及び前記クロック信号から生成した読み出しタイミングで、前記記憶手段に格納された前記第２のデジタル素材信号を読み出す読出制御手段と、
この読出制御手段により前記記憶手段から読み出された前記第２のデジタル素材信号を、前記クロック信号に同期した周波数レートでリサンプリングするリサンプリング処理手段とを具備し、
前記読出制御手段は、前記第１のデジタル素材信号に飛び越しが発生したときに、前記クロック信号の前記伝送ブロックに同期した基準クロック数より所定数多い読み出しタイミングで、前記記憶手段に格納された前記第２のデジタル素材信号を読み出す機能を備えることを特徴とする同期処理装置。
【請求項３】
外部から到来し、所定データ長単位の伝送ブロック構造のデジタル映像信号及びデジタル音声信号を多重した多重信号を取り扱うデジタル放送信号送出システムに適用され、前記多重信号から前記デジタル音声信号を抽出し、このデジタル音声信号を前記デジタル放送信号送出システムで取り扱うクロック信号に同期させ、前記デジタル放送信号送出システムで取り扱うクロック信号に同期したデジタル映像信号に再多重する同期処理装置であって、
前記多重信号から抽出された前記デジタル音声信号を格納する記憶手段と、
別途に提供される前記デジタル映像信号の結合情報及び前記クロック信号から生成した読み出しタイミングで、前記記憶手段に格納された前記デジタル音声信号を読み出す読出制御手段と、
この読出制御手段により前記記憶手段から読み出された前記デジタル音声信号を、前記クロック信号に同期した周波数レートでリサンプリングするリサンプリング処理手段とを具備し、
前記読出制御手段は、前記デジタル映像信号に欠落が発生したときに、前記クロック信号の前記伝送ブロックに同期した基準クロック数より所定数少ない読み出しタイミングで、前記記憶手段に格納された前記デジタル音声信号を読み出す機能を備えることを特徴とする同期処理装置。
【請求項４】
外部から到来し、所定データ長単位の伝送ブロック構造のデジタル映像信号及びデジタル音声信号を多重した多重信号を取り扱うデジタル放送信号送出システムに適用され、前記多重信号から前記デジタル音声信号を抽出し、このデジタル音声信号を前記デジタル放送信号送出システムで取り扱うクロック信号に同期させ、前記デジタル放送信号送出システムで取り扱うクロック信号に同期したデジタル映像信号に再多重する同期処理装置であって、
前記多重信号から抽出された前記デジタル音声信号を格納する記憶手段と、
別途に提供される前記デジタル映像信号の結合情報及び前記クロック信号から生成した読み出しタイミングで、前記記憶手段に格納された前記デジタル音声信号を読み出す読出制御手段と、
この読出制御手段により前記記憶手段から読み出された前記デジタル音声信号を、前記クロック信号に同期した周波数レートでリサンプリングするリサンプリング処理手段とを具備し、
前記読出制御手段は、前記デジタル映像信号に飛び越しが発生したときに、前記クロック信号の前記伝送ブロックに同期した基準クロック数より所定数多い読み出しタイミングで、前記記憶手段に格納された前記デジタル音声信号を読み出す機能を備えることを特徴とする同期処理装置。
【請求項５】
外部から到来し、所定データ長単位の伝送ブロック構造の第１のデジタル素材信号及び第２のデジタル素材信号を多重した多重信号を取り扱うデジタル放送信号送出システムに適用され、前記多重信号から前記第２のデジタル素材信号を抽出し、この第２のデジタル素材信号を前記デジタル放送信号送出システムで取り扱うクロック信号に同期させ、前記デジタル放送信号送出システムで取り扱うクロック信号に同期した第１のデジタル素材信号に再多重する同期処理方法であって、
前記多重信号から抽出された前記第２のデジタル素材信号をメモリに格納する第１の過程と、
別途に提供される前記第１のデジタル素材信号の結合情報及び前記クロック信号から生成した読み出しタイミングで、前記メモリに格納された前記第２のデジタル素材信号を読み出す第２の過程と、
この第２の過程により前記メモリから読み出された前記第２のデジタル素材信号を、前記クロック信号に同期した周波数レートでリサンプリングする第３の過程とを具備し、
前記第２の過程は、前記第１のデジタル素材信号に欠落が発生したときに、前記クロック信号の前記伝送ブロックに同期した基準クロック数より所定数少ない読み出しタイミングで、前記記憶手段に格納された前記第２のデジタル素材信号を読み出すことを特徴とする同期処理方法。
【請求項６】
外部から到来し、所定データ長単位の伝送ブロック構造の第１のデジタル素材信号及び第２のデジタル素材信号を多重した多重信号を取り扱うデジタル放送信号送出システムに適用され、前記多重信号から前記第２のデジタル素材信号を抽出し、この第２のデジタル素材信号を前記デジタル放送信号送出システムで取り扱うクロック信号に同期させ、前記デジタル放送信号送出システムで取り扱うクロック信号に同期した第１のデジタル素材信号に再多重する同期処理方法であって、
前記多重信号から抽出された前記第２のデジタル素材信号をメモリに格納する第１の過程と、
別途に提供される前記第１のデジタル素材信号の結合情報及び前記クロック信号から生成した読み出しタイミングで、前記メモリに格納された前記第２のデジタル素材信号を読み出す第２の過程と、
この第２の過程により前記メモリから読み出された前記第２のデジタル素材信号を、前記クロック信号に同期した周波数レートでリサンプリングする第３の過程とを具備し、
前記第２の過程は、前記第１のデジタル素材信号に飛び越しが発生したときに、前記クロック信号の前記伝送ブロックに同期した基準クロック数より所定数多い読み出しタイミングで、前記記憶手段に格納された前記第２のデジタル素材信号を読み出すことを特徴とする同期処理方法。
【請求項７】
外部から到来し、所定データ長単位の伝送ブロック構造のデジタル映像信号及びデジタル音声信号を多重した多重信号を取り扱うデジタル放送信号送出システムに適用され、前記多重信号から前記デジタル音声信号を抽出し、このデジタル音声信号を前記デジタル放送信号送出システムで取り扱うクロック信号に同期させ、前記デジタル放送信号送出システムで取り扱うクロック信号に同期したデジタル映像信号に再多重する同期処理方法であって、
前記多重信号から抽出された前記デジタル音声信号をメモリに格納する第１の過程と、
別途に提供される前記デジタル映像信号の結合情報及び前記クロック信号から生成した読み出しタイミングで、前記メモリに格納された前記デジタル音声信号を読み出す第２の過程と、
この第２の過程により前記メモリから読み出された前記デジタル音声信号を、前記クロック信号に同期した周波数レートでリサンプリングする第３の過程とを具備し、
前記第２の過程は、前記デジタル映像信号に欠落が発生したときに、前記クロック信号の前記伝送ブロックに同期した基準クロック数より所定数少ない読み出しタイミングで、前記記憶手段に格納された前記デジタル音声信号を読み出すことを特徴とする同期処理方法。
【請求項８】
外部から到来し、所定データ長単位の伝送ブロック構造のデジタル映像信号及びデジタル音声信号を多重した多重信号を取り扱うデジタル放送信号送出システムに適用され、前記多重信号から前記デジタル音声信号を抽出し、このデジタル音声信号を前記デジタル放送信号送出システムで取り扱うクロック信号に同期させ、前記デジタル放送信号送出システムで取り扱うクロック信号に同期したデジタル映像信号に再多重する同期処理方法であって、
前記多重信号から抽出された前記デジタル音声信号をメモリに格納する第１の過程と、
別途に提供される前記デジタル映像信号の結合情報及び前記クロック信号から生成した読み出しタイミングで、前記メモリに格納された前記デジタル音声信号を読み出す第２の過程と、
この第２の過程により前記メモリから読み出された前記デジタル音声信号を、前記クロック信号に同期した周波数レートでリサンプリングする第３の過程とを具備し、
前記第２の過程は、前記デジタル映像信号に飛び越しが発生したときに、前記クロック信号の前記伝送ブロックに同期した基準クロック数より所定数多い読み出しタイミングで、前記記憶手段に格納された前記デジタル音声信号を読み出すことを特徴とする同期処理方法。
【発明の詳細な説明】
【０００１】
【発明の属する技術分野】
この発明は、外部から到来し、所定データ長単位の伝送ブロック構造のデジタル映像信号及びデジタル音声信号を多重した多重信号を取り扱うデジタル放送信号送出システムにおいて、特に、多重信号からデジタル音声信号を抽出し、このデジタル音声信号をデジタル放送信号送出システムで取り扱うクロック信号に同期させる同期処理装置及び同期処理方法に関する。
【０００２】
【従来の技術】
デジタル放送システムの放送局にあっては、局内で取り扱うデジタル放送番組の素材データ（映像データや音声データ）を多重したＳＤＩ（Serial Digital Interface）信号の他に、局外のＳＤＩ信号も取り扱っている。
【０００３】
図６は、上記放送局内で局外からのＳＤＩ信号を処理する信号処理装置の構成を示すブロック図である。
【０００４】
局外から到来したＳＤＩ信号は、まず音声信号抽出部１１及びクロック発生部１２に入力される。このうちクロック発生部１２は、入力されるＳＤＩ信号に同期したクロック信号を発生する。音声信号抽出部１１は、クロック発生部１２により発生されるクロック信号に同期した抽出タイミングで、ＳＤＩ信号に多重されたデジタル音声信号を抽出する。この抽出されたデジタル音声信号は、Ｄ／Ａ変換部（Ｄ／Ａ）１３によって、クロック発生部１２で発生されるクロック信号に同期したタイミングで、アナログ音声信号に変換され、Ａ／Ｄ変換部１４に入力される。
【０００５】
Ａ／Ｄ変換部１４は、クロック発生部１５から発生される局内の同期信号に同期したクロック信号に従って、アナログ音声信号をデジタル音声信号に変換する。以後、デジタル音声信号は、音声信号多重部１６によって、局内の同期信号に同期したＳＤＩ信号に再多重する。
【０００６】
一方、局外からのＳＤＩ信号は、映像信号抽出部１７に入力されてデジタル映像信号が抽出される。このデジタル映像信号は、クロック発生部１２から発生されるクロック信号に同期した書き込みタイミングで、映像信号結合部１８に書き込まれ、クロック発生部１５から発生されるクロック信号に同期した読み出しタイミングで読み出されることにより、局内のクロック信号に同期したデジタル映像信号に変換され、ＳＤＩ信号として音声信号多重部１６に出力される。
【０００７】
【発明が解決しようとする課題】
ところで、上記信号処理装置では、局外のデジタル音声信号を自局のクロックに同期させるために、１度局外のデジタル音声信号をアナログ音声信号に変換し、しかる後に自局（内部）のクロック信号に同期したデジタル音声信号に変換しているため、デジタル音声信号に品質の劣化が生じてしまうことになる。
【０００８】
そこで、この発明の目的は、外部から到来するデジタル素材信号を、品質劣化を生じさせることなく、内部のクロック信号に同期させて処理することが可能な同期処理装置及び同期処理方法を提供することにある。
【０００９】
【課題を解決するための手段】
この発明に係る同期処理装置は、上記目的を達成するために、以下のように構成されている。
（１）外部から到来し、所定データ長単位の伝送ブロック構造の例えばデジタル映像信号といった第１のデジタル素材信号と、デジタル音声信号といった第２のデジタル素材信号とを多重した多重信号を取り扱うデジタル放送信号送出システムに適用され、多重信号から第２のデジタル素材信号を抽出し、この第２のデジタル素材信号をデジタル放送信号送出システムで取り扱うクロック信号に同期させ、デジタル放送信号送出システムで取り扱うクロック信号に同期した第１のデジタル素材信号に再多重する同期処理装置であって、
多重信号から抽出された第２のデジタル素材信号を格納する記憶手段と、別途に提供される第１のデジタル素材信号の結合情報及びクロック信号から生成した読み出しタイミングで、記憶手段に格納された第２のデジタル素材信号を読み出す読出制御手段と、この読出制御手段により記憶手段から読み出された第２のデジタル素材信号を、クロック信号に同期した周波数レートでリサンプリングするリサンプリング処理手段とを備えるようにしたものである。
【００１０】
上記（１）の構成によれば、外部からの多重信号から抽出されたデジタル音声信号は、記憶手段に取込まれて格納される。そして、記憶手段に記憶されたデジタル音声信号は、デジタル放送信号送出システムのクロック信号及び第１のデジタル素材信号の結合情報から生成した読み出しタイミングで読み出されることになり、以後クロック信号に同期した周波数レートでリサンプリングされることになる。
【００１１】
従って、外部からのデジタル音声信号を内部のクロック信号に同期させるために、デジタル音声信号をアナログ音声信号に変換するＡ／Ｄ変換器や、このアナログ音声信号を内部のクロック信号に同期したデジタル音声信号に変換するＤ／Ａ変換器を用意する必要がなく、記憶手段、サンプリング処理手段及び読出制御手段によるデジタル処理により外部からのデジタル音声信号を内部のクロック信号に同期させて処理することが可能となるため、デジタル音声信号に品質劣化や不連続を生じさせることなく、しかもＡ／Ｄ変換器及びＤ／Ａ変換器を用いない分比較的小型で安価な装置を提供することができる。
【００１２】
（２）上記（１）の読出制御手段は、デジタル映像信号に欠落が発生したときに、クロック信号の伝送ブロックに同期した基準クロック数より所定数少ない読み出しタイミングで、記憶手段に格納されたデジタル音声信号を読み出す機能を備えるようにしたものである。
【００１３】
この（２）の構成によれば、外部のデジタル映像信号が自システム内のデジタル映像信号より周波数が低い場合に、一定周期毎に自システム内のデジタル映像信号には映像欠落が生じ、これを補完するために欠落する前と同じ映像が挿入されることになるため、クロック信号の伝送ブロックに同期した基準クロック数より所定数少ない読み出しタイミングで、記憶手段に格納されたデジタル音声信号を読み出すことで、映像の欠落分を相殺するようにしている。従って、クロック信号のクロック数を欠落を補完するように制御しておけば、デジタル映像信号に欠落が生じても違和感のないデジタル音声信号を同期再生することができる。
【００１４】
（３）上記（１）の読出制御手段は、デジタル映像信号に飛び越しが発生したときに、クロック信号の伝送ブロックに同期したクロック数より所定数多い読み出しタイミングで、記憶手段に格納されたデジタル音声信号を読み出す機能を備えるようにしたものである。
【００１５】
この（３）の構成によれば、外部のデジタル映像信号が自システム内のデジタル映像信号より周波数が高い場合に、一定周期毎に自システム内のデジタル映像信号には局外の映像が使用できない区間が発生することになるため、クロック信号の伝送ブロックに同期した基準クロック数より所定数多い読み出しタイミングで、記憶手段に格納されたデジタル音声信号を読み出すことで、映像の飛び越し分を相殺するようにしている。従って、クロック信号のクロック数を飛び越しを補完するように制御しておけば、内部で取り扱うデジタル映像信号に飛び越しが生じても違和感のないデジタル音声信号を同期再生することができる。
【００１６】
【発明の実施の形態】
以下、この発明の実施形態について図面を参照して詳細に説明する。
【００１７】
図１は、この発明に係る同期処理装置の一実施形態を示すブロック図である。
【００１８】
同期処理装置は、同図に示すように、音声信号抽出部２１と、クロック発生部２２と、ＦＩＦＯ（First In First Out）メモリ（ＦＩＦＯ）２３と、読出制御部２４と、クロック発生部２５と、サンプリングレートコンバータ２６と、音声信号多重部２７と、映像信号抽出部２８と、映像信号結合部２９とを備えている。
【００１９】
局外から到来したＳＤＩ信号は、まず音声信号抽出部２１及びクロック発生部２２に入力される。このうちクロック発生部２２は、入力されるＳＤＩ信号に同期したクロック信号を発生する。音声信号抽出部２１は、クロック発生部２２により発生されるクロック信号に同期した抽出タイミングで、ＳＤＩ信号に多重されたデジタル音声信号を抽出する。この抽出されたデジタル音声信号は、クロック発生部２２で発生されるクロック信号に同期したタイミングで、ＦＩＦＯメモリ２３に書き込まれる。
【００２０】
ＦＩＦＯメモリ２３に書き込まれたデジタル音声信号は、読出制御部２４によって、クロック発生部２５で発生される内部（局内）のクロック信号及び別途提供される映像結合情報により生成される読み出しタイミングで読み出されて、サンプリングレートコンバータ２６に入力される。なお、内部のクロック信号は、クロック発生部２５により局内の同期信号から生成される。
【００２１】
サンプリングレートコンバータ２６は、ＦＩＦＯメモリ２３から読み出されたデジタル音声信号を、クロック発生部２５で発生される内部のクロック信号に同期した周波数レートでリサンプリング処理する。
【００２２】
以後、サンプリングレートコンバータ２６によりサンプリングされたデジタル音声信号は、音声信号多重部２７によって、局内の同期信号に同期したＳＤＩ信号に再多重する。
【００２３】
一方、局外からのＳＤＩ信号は、映像信号抽出部２８に入力されてデジタル映像信号が抽出される。このデジタル映像信号は、クロック発生部２２から発生されるクロック信号に同期した書き込みタイミングで、映像信号結合部２９に書き込まれ、クロック発生部２５から発生されるクロック信号に同期した読み出しタイミングで読み出されることにより、局内のクロック信号に同期したデジタル映像信号に変換され、ＳＤＩ信号として音声信号多重部２７に出力される。
【００２４】
次に、上記構成による動作につき説明する。
まず、外部のデジタル音声信号を内部のクロック信号に同期させるために、外部のＳＤＩ信号から音声信号抽出部２１でデジタル音声信号を抽出し、クロック発生部２２で発生されるＳＤＩ信号に同期したクロック信号に従って、抽出したデジタル音声信号をＦＩＦＯメモリ２３に書き込む。
【００２５】
ＦＩＦＯメモリ２３に書き込まれたデジタル音声信号は、読出制御部２４によって局内のクロック信号と映像結合情報から生成した読み出しタイミングで読み出されてサンプリングレートコンバータ２６に読み出しタイミングと同じクロックで書き込まれる。
【００２６】
サンプリングレートコンバータ２６は、ＦＩＦＯメモリ２３から読み出されたデジタル音声信号を、クロック発生部２５で発生される内部のクロック信号に同期した周波数レートでリサンプリング処理する。
【００２７】
ここで、局内の同期信号の周波数に対して局外の同期信号の周波数が低い場合、局内のデジタル映像信号は、一定周期毎にフレームまたはフィールド単位で欠落することになるため欠落する前と同じ映像を挿入し補完している。この場合の読出制御部２４の読出処理の様子を図２に示す。
【００２８】
図２において、Ｎ、Ｎ＋１…はデジタル映像信号のフレーム、Ｒは読出制御部２４によるクロック信号のフレームに同期した基準クロック数（基準の周波数）であることを示している。
【００２９】
ここで、読出制御部２４では、映像の欠落分を相殺するため、基準の周波数よりも低い周波数（周期を長くして）のクロックでＦＩＦＯメモリ２３からデジタル音声信号を読み出し、これと同じクロックでサンプリングレートコンバータ２６に書き込む。そして、ある一定時間（音声の補完が完了した時点）でＦＩＦＯメモリ２３からデジタル音声信号を読み出すクロック及びサンプリングレートコンバータ２６に書き込むクロックは基準の周波数に戻る。
【００３０】
例えば、映像単位フレームに同期したデジタル音声信号の基準クロック数をＲとすると、映像の欠落が発生したことが通知された時点で、映像単位フレームあたりのＦＩＦＯメモリ２３からデジタル音声信号を読み出すクロック数をＲ−αにすると、Ｒ／αフレーム期間掛かって映像の欠落分を補完する。なお、αは、欠落分を補完できるように任意に設定可能な値である。
【００３１】
一方、局内の同期信号の周波数に対して局外の同期信号の周波数が高い場合、局内のデジタル映像信号は、一定周期毎にフレームまたはフィールド単位で局外の映像が使用できない区間（飛び越し）が発生する。この場合の読出制御部２４の読出処理の様子を図３に示す。
【００３２】
ここで、読出制御部２４では、映像の飛び越し分を相殺するため、基準の周波数よりも高い周波数（周期を短くして）のクロックでＦＩＦＯメモリ２３からデジタル音声信号を読み出し、これと同じクロックでサンプリングレートコンバータ２６に書き込む。そして、ある一定時間（音声の補完が完了した時点）でＦＩＦＯメモリ２３からデジタル音声信号を読み出すクロック及びサンプリングレートコンバータ２６に書き込むクロックは基準の周波数に戻る。
【００３３】
例えば、映像単位フレームに同期したデジタル音声信号の基準クロック数をＲとすると、映像の飛び越しが発生したことが通知された時点で、映像単位フレームあたりのＦＩＦＯメモリ２３からデジタル音声信号を読み出すクロック数をＲ＋αにすると、Ｒ／αフレーム期間掛かって映像の飛び越し分を補完する。
【００３４】
これにより、音声の補完が完了するまでには、ある一定時間が掛かるものの音声の同期再生が実現できる。
【００３５】
以上のように上記実施形態では、Ａ／Ｄ変換器及びＤ／Ａ変換器に代えて、ＦＩＦＯメモリ２３、読出制御部２４及びサンプリングレートコンバータ２６を設け、局外からのＳＤＩ信号から音声信号抽出部２１によって抽出されたデジタル音声信号を、ＦＩＦＯメモリ２３に書き込むようにしている。そして、読出制御部２４では、ＦＩＦＯメモリ２３に書き込まれたデジタル音声信号を、クロック発生部２５により発生される局内のクロック信号と映像結合情報から生成した読み出しタイミングで読み出し、サンプリングレートコンバータ２６では、ＦＩＦＯメモリ２３から読み出されたデジタル音声信号を、クロック発生部２５により発生される局内のクロック信号に同期した周波数レートでリサンプリングするようにしている。
【００３６】
従って、局外からのデジタル音声信号を局内のクロック信号に同期させるために、従来の如くＡ／Ｄ変換器やＤ／Ａ変換器を用意する必要がなく、ＦＩＦＯメモリ２３、読出制御部２４及びサンプリングレートコンバータ２６によるデジタル処理により局外からのデジタル音声信号を内部のクロック信号に同期させて処理することが可能となるため、デジタル音声信号に品質劣化や不連続を生じさせることなく、しかもＡ／Ｄ変換器及びＤ／Ａ変換器を用いない分比較的小型で安価な装置を提供することができる。
【００３７】
また、上記実施形態では、読出制御部２４において、外部からデジタル映像信号の欠落発生が通知されたときに、クロック信号の映像フレームに同期した基準クロック数より所定数少ない読み出しタイミングで、ＦＩＦＯメモリ２３に記憶されたデジタル音声信号を読み出すようにしているので、クロック信号のクロック数を所定数分少なくし、映像欠落分を補完するように制御しておくだけで、デジタル映像信号に欠落が生じても違和感のないデジタル音声信号を同期再生することができる。
【００３８】
さらに、上記実施形態では、読出制御部２４において、外部からデジタル映像信号の飛び越し発生が通知されたときに、クロック信号の映像フレームに同期した基準クロック数より所定数分多い読み出しタイミングで、ＦＩＦＯメモリ２３に記憶されたデジタル音声信号を読み出すようにしているので、クロック信号のクロック数を所定数分多くし、映像の飛び越し分を補完するように制御しておくだけで、デジタル映像信号に飛び越しが生じても違和感のないデジタル音声信号を同期再生することができる。
【００３９】
なお、上記実施形態では、ハードウェア構成について説明したが、図４に示すごとく、ソフトウェア構成により実現することもできる。
【００４０】
すなわち、符号１００は同期処理装置であり、ＦＩＦＯメモリ２００を接続している。なお、上記音声信号抽出部２１、クロック発生部２２、読出制御部２４と、クロック発生部２５、サンプリングレートコンバータ２６及び音声信号多重部２７による処理は、同期処理装置１００のソフトウェア処理により実現される。
【００４１】
まず、同期処理装置１００は、図５に示す制御処理を開始すると、局外から到来するＳＤＩ信号からデジタル音声信号を抽出し（ステップＳＴ５ａ）、この抽出したデジタル音声信号をＦＩＦＯメモリ２００に書き込む（ステップＳＴ５ｂ）。
【００４２】
続いて、同期処理装置１００は、外部から映像の欠落が発生したか否かの判断を行う（ステップＳＴ５ｃ）。
【００４３】
そして、映像の欠落が発生していないならば同期処理装置１００は、外部から映像の飛び越しが発生したか否かの判断を行う（ステップＳＴ５ｄ）。
【００４４】
ここで、映像の飛び越しが発生していないならば同期処理装置１００は、内部のクロック信号の映像フレームに同期した基準クロック数ＲでＦＩＦＯメモリ２００からデジタル音声信号を読み出し（ステップＳＴ５ｅ）、さらに内部のクロック信号に同期した周波数レートでデジタル音声信号をリサンプリングして（ステップＳＴ５ｆ）、処理を終了する。
【００４５】
一方、映像の欠落が発生したならば同期処理装置１００は、内部のクロック信号の映像フレームに同期した基準クロック数Ｒよりα分少ないクロック数でＦＩＦＯメモリ２００からデジタル音声信号を読み出し（ステップＳＴ５ｇ）、上記ステップＳＴ５ｆに移行する。
【００４６】
また、映像の飛び越しが発生したならば同期処理装置１００は、内部のクロック信号の映像フレームに同期した基準クロック数Ｒよりα分多いクロック数でＦＩＦＯメモリ２００からデジタル音声信号を読み出し（ステップＳＴ５ｈ）、上記ステップＳＴ５ｆに移行する。
【００４７】
以上のように上記他の実施形態によってもこの発明を実施することができる。特に、各処理がソフトウェアにより実現できるので、構成が簡単になり、小型化に寄与することができる。
【００４８】
その他、同期処理装置の構成、取り扱う信号の種類、デジタル音声信号を局内のクロック信号に同期させる制御手順及びその内容等についても、この発明の要旨を逸脱しない範囲で種々変形して実施できる。
【００４９】
【発明の効果】
以上詳述したようにこの発明によれば、外部から到来するデジタル素材信号を、品質劣化を生じさせることなく、内部のクロック信号に同期させて処理することが可能な同期処理装置及び同期処理方法を提供することができる。
【図面の簡単な説明】
【図１】この発明に係る同期処理装置の一実施形態を示すブロック図。
【図２】同実施形態における映像欠落時の処理動作を説明するためのタイミング図。
【図３】同実施形態における映像飛び越し時の処理動作を説明するためのタイミング図。
【図４】この発明の他の実施形態に係る同期処理装置の構成を示すブロック図。
【図５】同他の実施形態における処理動作を説明するためのフローチャート。
【図６】従来考えられていた信号処理装置の構成を示すブロック図。
【符号の説明】
１１、２１…音声信号抽出部、
１２、１５、２２、２５…クロック発生部、
１３…Ｄ／Ａ変換器（Ｄ／Ａ）、
１４…Ａ／Ｄ変換器（Ａ／Ｄ）、
２３、２００…ＦＩＦＯメモリ、
２４…読出制御部、
２６…サンプリングレートコンバータ、
２７…音声信号多重部、
１００…同期処理装置。
【図１】
0004167415.tif 000002
【図２】
0004167415.tif 000003
【図３】
0004167415.tif 000004
【図４】
0004167415.tif 000005
【図５】
0004167415.tif 000006
【図６】
0004167415.tif 000007